(57)【要約】【課題】  貝類の養殖室となるポケットを多段に設けた連段養殖かごのポケットの開口部を容易に塞ぎ、また容易に開口させ易い養殖かごを提供する。【解決手段】    背網地４は弛みをもたせて養殖かご全長に亘って張設し、前網地６はポケット幅に裁断したものを背網地に重ね合わせ、上縁を開口部７ａとして左右端はそれぞれ側紐５に結縛し底面にて両網地に封止糸９を絡ませてポケット１０を形成し、該ポケット１０の開口部７ａを封じる口縫い糸１１を、背網地４と前網地６を重ねた開口部近辺にて両網地を絡むように縦方向に各段のポケットを縦断して挿通する。【選択図】  図１
2011055753.tif 000002
【特許請求の範囲】
【請求項１】
網地を重ねて上方の開口部を除く三方を結縛してポケット状の養殖室を縦方向に多段に形成した連段養殖かごであって、背網地は弛みをもたせて養殖かご全長にわたって張設し、前網地はポケット幅に裁断したものを背網地に重ね合わせ、上縁を開口部として左右端はそれぞれ側紐に結縛すると共に、底面において両網地に封止糸を絡ませてポケット底部を形成し、ポケット状の養殖室の前記開口部を塞ぐ口縫い糸を前網地と背網地を絡むように縦方向に挿通したことを特徴とする連段養殖かご。
【請求項２】
前記口縫い糸は、少なくともポケット状の開口部近辺にて前網地と背網地を絡めて縦方向に複数本挿通したことを特徴とする請求項１に記載の連段養殖かご。
【請求項３】
前記背網地は弛みをもたせて養殖かご全長にわたって張設し、前網地はポケット幅に裁断し弛みのないものを背網地に重ね合わせたことを特徴とする請求項１に記載の連段養殖かご。
【発明の詳細な説明】
【技術分野】
【０００１】
本発明は、帆立貝のような二枚貝の養殖に用いるポケット部を平面状に連接した養殖かごに関するものである。
【背景技術】
【０００２】
一般に、帆立貝等の貝類の養殖において、育成の最終段階で網地を重ねてポケット状に形成した養殖室を複数段に形成した連段養殖かごが使用されている。この種の養殖かごは図４、図５に示すように連段養殖かご２０の長さ分を有する弛みのない背網地２１に、１段ごとの幅に切断した弛みのある前網地２２を重合し、両網地の下縁を横方向に封止糸２３にて互いに絡め、且つ両網地の左右両側は側紐２４に締縛して上縁２５が開口するポケット状の養殖室２６を形成している。
【０００３】
このような構成を備えた先行技術例として、例えば、特開昭４８−８０３９２号公報に示される平面かごが代表的なものである。しかし、この従来例のかごではポケット部の開口２５を、貝類が逃げ出ないよう閉止するため合成樹脂製の口縫い糸２７を開口部２５ａの横方向に、背網地２１と前網地２２の網目を掬いながら通して両端の側紐２４に締縛している。２８は養殖かごを連段に区画する桟である。
【０００４】
この口縫い糸２７を連段養殖かご全体に通すことは大変な手間と労力を要し、外注すると経費も馬鹿にならないのが問題である。また、貝類をポケットから出す際にもこの口縫い糸２７を個々に外す作業が強いられ、海の船上での作業となることから漁業者にとって重労働で、且つ能率の悪いものであった。
【０００５】
また、公開実用昭和４８−７９７９４号に提案されるポケット部をフックにより定着するものもあるが、前記の先行例と同様に個々のポケットごとに定着作業を強いられ、作業の能率は多少は改善されるものの手間のかかる作業から解放されるものではない。
【先行技術文献】
【特許文献】
【０００６】
【特許文献１】特開昭４８−８０３９２号公報
【特許文献２】公開実用昭和４８−７９７９４号明細書
【発明の概要】
【発明が解決しようとする課題】
【０００７】
本発明はこのような課題を解決するものであり、連段養殖かごの養殖室を形成する各ポケットの開口部を簡単な手段で閉じ、また外すことが出来る養殖かごを提供することを目的とする。
【課題を解決するための手段】
【０００８】
上記目的を達成するため、請求項１記載の養殖かごは、網地を重ねて上方の開口部を除く三方を結縛してポケット状の養殖室を縦方向に多段に形成した連段養殖かごであって、背網地は弛みをもたせて養殖かご全長にあたって張設し、前網地はポケット幅に裁断したものを背網地に重ね合わせ、上縁を開口部として左右端はそれぞれ側紐に結縛すると共に、底面において両網地に封止糸を絡ませてポケット底部を形成し、ポケットの開口部を塞ぐ口縫い糸を複数本、前網地と背網地を絡むように縦方向に挿通した。
【０００９】
請求項２記載の連段養殖かごは請求項１に記載の連段養殖かごであって、口縫い糸は少なくともポケットの開口部近辺にて前網地と背網地が絡まるように縦方向に挿通して構成されている。
【発明の効果】
【００１０】
本発明によれば、ポケットの開口部を塞ぐ口縫い糸を簡単に短時間で挿通することができ、また、連段養殖かごを天地を逆にして吊下げ、ポケットの開口部を縦方向に絡めた口縫い糸を引き抜くだけで開口部が解放され、ポケット中の貝類を一気に排出することができる。
【図面の簡単な説明】
【００１１】
【図１】本発明の実施例を示す連段養殖かごの要部の斜視図である。
【図２】同、養殖室となるポケットの説明図である。
【図３】同、ポケットの開口部を口縫い糸で絡めた説明図である。
【図４】ポケットを備えた従来の連段養殖かごの斜視図である。
【図５】同、ポケットの開口部を横方向に口縫い糸で絡めた説明図である。
【発明を実施するための形態】
【００１２】
以下、本発明を図示する実施形態により具体的に説明する。図１は、本発明の一実施形態の要部の構成を示しており、連段養殖かご１は、上下端の吊下げ用桟２と所定間隔を置いて横に張り渡される多数の桟３を絡めるように基網となる背網地４が連段養殖かご１の全長に亘って張設され、左右端は側紐５に結縛されて固定されている。背網地４は網目を増やして弛みをもたせて張設されている。また、吊下げ用桟２を含め多数の桟３はビニール被覆された金属製杆で構成され、側紐５は合成樹脂製の紐で構成されている。
【００１３】
図２に示すように、各桟３により区画される部分に同幅の前網地６が弛みのある背網地４と重合され、上縁７を開口部７ａとし左右端は前記した側紐５に結縛され、下縁８は両網地４、６を絡めるように合成樹脂製の封止糸９が横方向に挿通されポケット底部を形成している。かくして、両網地４、６の重合部分が帆立貝等の貝類の養殖室となるポケット１０を構成している。ポケット１０の開口部７ａは桟３に沿って横方向に開口しており、貝類の投入口となり、また排出口ともなる。
【００１４】
１１は合成樹脂製の口縫い糸で、図３に概要が示されるように、ポケット１０の開口部７ａを封じるため、背網地４に前網地６が重なった開口部７ａの近辺にて背網地４と前網地６を絡めるように網目を通して縦方向に挿通される。この口縫い糸１１は桟３で仕切られる各段のポケット１０を縦断して挿通され、最終的には最下段の吊上げ用桟２に結縛される。
【００１５】
また、口縫い糸１１はポケットの開口部を部分的に絡める程度で足り、開口部を完全に封じ込まなくてもよい。即ち、図１に示すように１本の口縫い糸を所定幅をおいて並列状に縦方向に挿通して行くことで開口部７ａは部分的に閉じられ、ポケット中の帆立貝が開口部７ａから出て行くことがない。
【００１６】
帆立貝は２枚貝の合体するヒンジとなる部分を下に、開かれる貝の口部を上に向けて海中のプランクトンを摂取する習性がある。また、養殖かごのポケット中に収納された場合、帆立貝の平坦な背側を弛みのないポケットの前網地６にあてがい、膨らみのある地肌の白い方を弛みのある背網地４に向ける習性がある。本発明者はこのような帆立貝の習性に着目し、その習性を利用してポケットの構成を創案した。
【００１７】
即ち、背網地４には網目を増やすことで弛みをもたせ、重ねられる前網地６には弛みをもたせないポケットの構成とし、ポケット１０の開口部７ａは桟３の真下位置に臨ませていることで、仮に帆立貝が開口部の隙間（口縫い糸の閉じ目）７ｂから脱出しようとしても桟３に邪魔され出ることが出来ない。ポケット１０には帆立貝を、大きさにもよるが複数個収容する。従って、口縫い糸１１は前記したように所定幅を置いて並列状に縦に挿通する程度で開口部の封止効果は保持できることになる。
【００１８】
また、連段養殖かご１には上下端の吊下げ用桟２にそれぞれ吊下げ用ロープ１２、１３が結縛されており、下端の吊下げロープ１３には錘（図示略）が付けられ連段養殖かご１は海中に没入される。
【００１９】
次に本発明の作用を説明すると、連段養殖かご１のポケットの開口部７ａを開き養殖すべき帆立貝Ａを所要数投入する。順次各段ごとのポケットに収容して行き、帆立貝は互いに重ならないように配置して収容されるのが望ましい。次いで、帆立貝を収容したポケットの開口部７ａを封じるに、図３に示すように合成樹脂製の口縫い糸１１を上段のポケットから下段のポケットに順次、背網地４に前網地６を部分的に絡めて縦方向に閉じて行く。絡める位置はポケット中の帆立貝の成育に邪魔にならないよう開口部７ａの近辺とし、両網地の網目を通して絡める。
【００２０】
口縫い糸１１はポケットに収容される帆立貝の大きさにもよるが、開口部７ａの隙間を出来るだけ絞るため複数本挿通することもある。口縫い糸を１本の糸で行う場合は、図１に示すように上段のポケット１０には口縫い糸１１の両端から挿通し、所定幅をおきながら縦方向に絡めるようにして挿通する。
【００２１】
ポケットに帆立貝を収容した連段養殖かご１は海中に投入され、養殖のため所要期間筏等に吊下げて使用される。帆立貝を取出す場合、連段養殖かご１は海上に吊り上げられ、船上にてクレーン等で天地を逆に吊下げ、ポケット１０の開口部７ａを封じていた口縫い糸１１を引き抜くことで各段のポケット１０は一斉に開口し、帆立貝が一気に排出される。口縫い糸１１は連段養殖かごの縦方向に挿通しているだけのため引き抜きに手間がかからず、一気に引き抜くことが可能となり、帆立貝Ａの取出し作業が迅速となる
【符号の説明】
【００２２】
１    連段養殖かご
２    吊下げ用桟
３    桟
４    背網地
５    側紐
６    前網地
７    上縁
７ａ  開口部
８    下縁
９    封止糸
１０    ポケット
１１    口縫い糸
Ａ    帆立貝
【図１】
2011055753.tif 000003
【図２】
2011055753.tif 000004
【図３】
2011055753.tif 000005
【図４】
2011055753.tif 000006
【図５】
2011055753.tif 000007